(57)【特許請求の範囲】
【請求項１】
ＩＰ電話網とキャリア電話網とが接続された通信網に備えられる接続制御装置であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択手段と、
前記発信選択手段により選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理手段とを備え、
前記発信選択手段は、
電話番号毎にユーザ情報を格納するユーザ情報格納部を参照し、
前記発信元電話番号に対応する登録情報において、電話番号毎にユーザの電話帳情報を格納するユーザ電話帳情報格納部を参照することを指示する情報が設定されている場合に、当該ユーザ電話帳情報格納部を参照し、
前記発信元電話番号に対応するユーザ電話帳情報における前記宛先電話番号に対応する登録情報に基づいて、前記ユーザ端末の発信方式を選択する
ことを特徴とする接続制御装置。
【請求項２】
前記宛先ユーザ端末が無線ＬＡＮのエリアに在圏している場合に、前記呼接続処理手段は、前記接続要求を、前記ＩＰ電話網を経由して前記宛先ユーザ端末に着信させる
ことを特徴とする請求項１に記載の接続制御装置。
【請求項３】
ＩＰ電話網とキャリア電話網とが接続された通信網に備えられる接続制御装置が実行する接続制御方法であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択ステップと、
前記発信選択ステップにより選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理ステップとを備え、
前記発信選択ステップにおいて、前記接続制御装置は、
電話番号毎にユーザ情報を格納するユーザ情報格納部を参照し、
前記発信元電話番号に対応する登録情報において、電話番号毎にユーザの電話帳情報を格納するユーザ電話帳情報格納部を参照することを指示する情報が設定されている場合に、当該ユーザ電話帳情報格納部を参照し、
前記発信元電話番号に対応するユーザ電話帳情報における前記宛先電話番号に対応する登録情報に基づいて、前記ユーザ端末の発信方式を選択する
ことを特徴とする接続制御方法。
【請求項４】
コンピュータを、請求項１又は２に記載の接続制御装置における各手段として機能させるためのプログラム。
【発明の詳細な説明】
【技術分野】
【０００１】
本発明は、ＩＰ電話や携帯電話等の電話通信の技術分野に関するものである。
【背景技術】
【０００２】
主要キャリアのスマートフォンの利用料金が高止まりとなる中、格安通話サービスが注目を集めている。現在、様々な事業者より提供されている格安通話サービスは、大きく分けて２種類に区別することができる。一つは、 "０５０"番号を利用するＩＰ電話サービスであり、もう一つは電話回線を利用した"０９０"携帯電話サービスである。
【０００３】
しかし、１つの端末で携帯電話とＩＰ電話を利用する場合、携帯電話"０９０"、ＩＰ電話"０５０"といった二つの電話番号を使い分けなければならず、ユーザの利便性が低い。
【先行技術文献】
【特許文献】
【０００４】
【特許文献１】特開２００８−１１３３９９号公報
【発明の概要】
【発明が解決しようとする課題】
【０００５】
本発明は上記の点に鑑みてなされたものであり、通信キャリアから割り当てられた１つの電話番号で、キャリア電話通信とＩＰ電話通信の両方の通信を行うことを可能とする技術を提供することを目的とする。
【課題を解決するための手段】
【０００６】
本発明の実施の形態によれば、ＩＰ電話網とキャリア電話網とが接続された通信網に備えられる接続制御装置であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択手段と、
前記発信選択手段により選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理手段とを備え、
前記発信選択手段は、
電話番号毎にユーザ情報を格納するユーザ情報格納部を参照し、
前記発信元電話番号に対応する登録情報において、電話番号毎にユーザの電話帳情報を格納するユーザ電話帳情報格納部を参照することを指示する情報が設定されている場合に、当該ユーザ電話帳情報格納部を参照し、
前記発信元電話番号に対応するユーザ電話帳情報における前記宛先電話番号に対応する登録情報に基づいて、前記ユーザ端末の発信方式を選択する
ことを特徴とする接続制御装置が提供される。
【０００７】
また、本発明の実施の形態によれば、ＩＰ電話網とキャリア電話網とが接続された通信網に備えられる接続制御装置が実行する接続制御方法であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択ステップと、
前記発信選択ステップにより選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理ステップとを備え、
前記発信選択ステップにおいて、前記接続制御装置は、
電話番号毎にユーザ情報を格納するユーザ情報格納部を参照し、
前記発信元電話番号に対応する登録情報において、電話番号毎にユーザの電話帳情報を格納するユーザ電話帳情報格納部を参照することを指示する情報が設定されている場合に、当該ユーザ電話帳情報格納部を参照し、
前記発信元電話番号に対応するユーザ電話帳情報における前記宛先電話番号に対応する登録情報に基づいて、前記ユーザ端末の発信方式を選択する
ことを特徴とする接続制御方法が提供される。
【発明の効果】
【０００８】
本発明の実施の形態によれば、通信キャリアから割り当てられた１つの電話番号で、キャリア電話通信とＩＰ電話通信の両方の通信を行うことを可能とする技術が提供される。
【図面の簡単な説明】
【０００９】
【図１】本発明の実施の形態におけるシステムの全体構成図である。
【図２】接続制御装置１００の機能構成図である。
【図３】ユーザ情報格納部１０４に格納されるテーブルの構成例を示す図である。
【図４】ユーザ電話帳情報格納部１０５に格納されるテーブルの構成例を示す図である。
【図５】ユーザ端末２００の機能構成図である。
【図６】情報登録処理を説明するためのシーケンス図である。
【図７】発信選択処理を説明するためのシーケンス図である。
【図８】ＩＰ電話発信時における接続要求処理を説明するためのシーケンス図である。
【図９】セルラー電話発信時における接続要求処理を説明するためのシーケンス図である。
【発明を実施するための形態】
【００１０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、通信キャリア（通信事業者）を携帯キャリアとしているが、本発明を適用できる通信キャリアは、携帯キャリアに限られるわけではない。例えば、通信キャリアが固定電話キャリア、０５０ＩＰ電話キャリア等であってもよい。すなわち、本実施の形態における「携帯キャリア網」は、「固定電話網」、「０５０ＩＰ電話網」あるいは、携帯キャリア網と固定電話網とＩＰ電話網のうちの全部又はいずれか複数が混在したものであってもよい。また、携帯キャリア網、固定電話網、０５０ＩＰ電話網のそれぞれは１つのキャリアの網である必要はなく、複数キャリア（国内、海外いずれでもよい）の網であってもよい。なお、携帯キャリア網、固定電話キャリア網、０５０ＩＰ電話キャリア網等を総称してキャリア電話網と呼ぶ。
【００１１】
（システム全体構成）
図１に、本発明の実施の形態における通信システムの全体構成図を示す。図１に示すように、本実施の形態に係る通信システムは、インターネット等のＩＰ網１３０と、携帯キャリア網４００とが接続された通信網を構成している。ＩＰ網１３０は、ＳＩＰサーバ等のＩＰ電話通信のための装置を含み、ＩＰ電話網として機能する。携帯キャリア網４００は１つの携帯キャリアの網であってもよいし、複数の携帯キャリア網が相互接続された網であってもよい。
【００１２】
ＩＰ網１３０には、後述する発信選択処理や呼接続処理等を実行する接続制御装置１００が備えられている。なお、接続制御装置１００は携帯キャリア網４００、もしくは、ＩＰ網１３０と携帯キャリア網４００との境界（ゲートウェイ）に備えられることとしてもよい。
【００１３】
また、図１には、ユーザ端末２００とユーザ端末２１０が示されている。各ユーザ端末は、例えば、セルラー電話機能と無線ＬＡＮ通信機能を含み、アプリケーションをダウンロードして実行することのできるスマートホンであるが、これに限られるわけではない。
【００１４】
また、本実施の形態では、図１の左側に示されるユーザ端末２００が発信側、右側に示されるユーザ端末２１０が着信側になることを想定している。本実施の形態では、発信側、着信側のユーザ端末２００、２１０は同じ機能を持ち、いずれも後述する接続制御装置１００に対する登録動作等を行うものとするが、着信側のユーザ端末２１０は、セルラー電話機能のみを有する携帯電話機であってもよい。
【００１５】
図１に示すように、各ユーザ端末は、無線ＬＡＮにより無線ＡＰ１１０、１２０と接続することでＩＰ電話発着信を行い、セルラー（ＬＴＥ、３Ｇ等）の無線で基地局４１０、４２０と接続することでセルラー電話発着信を行う。
【００１６】
本実施の形態では、各ユーザ端末には携帯キャリアから割り当てられた電話番号（例：０９０番号）が割り当てられており、ＩＰ電話発信時とセルラー電話発信時のいずれの場合もユーザ端末の発信元の電話番号は当該携帯キャリアから割り当てられた電話番号が使用される。
【００１７】
また、各ユーザ端末は、接続制御装置１００に各種設定情報の登録を行うとともに、接続制御装置１００に在圏情報等を随時登録する。接続制御装置１００は当該登録情報に基づいて、ユーザ端末２００からの発信の方式（ＩＰ電話発信ｏｒセルラー電話発信）を選択するとともに、宛先（通話相手）の着信の方式（ＩＰ電話着信ｏｒセルラー電話着信）に応じて接続要求を適切な転送先に転送する動作を行う。以下、装置構成、及びシステムの動作について順次説明する。
【００１８】
（装置構成）
＜接続制御装置１００＞
図２は、接続制御装置１００の機能構成図である。図２に示すように、接続制御装置１００は、情報登録部１０１、発信選択部１０２、呼接続処理部１０３、ユーザ情報格納部１０４、ユーザ電話帳情報格納部１０５を含む。各機能部の機能概要は以下のとおりである。より具体的な動作例については、システムの動作説明のところで説明する。
【００１９】
情報登録部１０１は、ユーザ端末から登録情報（設定情報、在圏情報、品質情報等）を受信し、受信した登録情報をユーザ情報格納部１０４／ユーザ電話帳情報格納部１０５に格納する。発信選択部１０２は、発着信電話番号を含む発信選択要求をユーザ端末から受信すると、ユーザ情報格納部１０４／ユーザ電話帳情報格納部１０５に格納されている登録情報と当該発着信電話番号とに基づいて当該ユーザ端末の発信方式（ＩＰ電話発信ｏｒセルラー電話発信）を選択し、選択結果を当該ユーザ端末に通知する。
【００２０】
呼接続処理部１０３は、上記選択結果に基づく発信方式で発信を行ったユーザ端末から接続要求（宛先電話番号を含む）を受信し、例えば、宛先のユーザ端末が無線ＬＡＮエリアに在圏しているか否かに応じて、接続要求をＩＰ網（ＩＰ電話網）１３０経由で宛先のユーザ端末に転送する、もしくは、携帯キャリア網４００に転送し、携帯キャリア網４００からユーザ端末にセルラー電話の着信をさせる。すなわち、呼接続処理部１０３は、ユーザ端末から送信された接続要求を受信し、宛先電話番号を有する宛先ユーザ端末の在圏状況に基づいて、当該接続要求を、ＩＰ電話網を経由して宛先ユーザ端末に着信させるか、キャリア電話網を経由して宛先ユーザ端末に着信させるかを決定する機能を含む。
【００２１】
ユーザ情報格納部１０４には、情報登録部１０１により、ユーザ情報がテーブルとして格納される。また、ユーザ電話帳情報格納部１０５には、情報登録部１０１により、ユーザ電話帳情報がテーブルとして格納される。ユーザ情報格納部１０４及びユーザ電話帳情報格納部１０５は、データベースシステムとして構成でき、これらをＤＢ（データベース）と呼んでもよい。
【００２２】
図３に、ユーザ情報格納部１０４に格納されるテーブル（ユーザ情報テーブルと呼ぶ）の構成例を示す。図３に示すように、当該ユーザ情報テーブルは、ユーザ電話番号、在圏状況、発信選択設定、発信選択状況、着信設定状況のフィールドを含む。
【００２３】
「ユーザ電話番号」のフィールドには、ユーザの電話番号が格納される。「在圏状況」のフィールドには、例えば、該当ユーザ（ユーザ端末）が無線ＬＡＮのエリアに在圏していることを示す情報（例：エリア番号、ＩＰアドレス等）が格納される。なお、本実施の形態では、この欄に情報がない場合はセルラーのエリアのみに在圏していることを意味するが、セルラーのエリアに在圏していることを示す情報（例：位置情報等）を格納してもよい。無線ＬＡＮのエリアに在圏していることを示す情報と、セルラーのエリアに在圏していることを示す情報の２つを格納してもよい。
【００２４】
「回線状況」のフィールドには、該当ユーザ端末が在圏しているエリアでの回線品質を示す品質情報が格納される。品質情報は、例えば、無線電波の受信レベル（受信電力）を示す値である。
【００２５】
「発信選択設定」のフィールドには、「一括」又は「個々」が格納される。「一括」はユーザ情報テーブルにおける「発信選択状況」の設定に従って発信方式が選択されることを意味し、「個々」（個別設定）は、通話相手のユーザ電話帳情報における「発信選択」の設定に従って発信方式が選択されることを意味する。
【００２６】
「発信選択状況」のフィールドには、該当ユーザ端末がＩＰ電話で発信を行うか、セルラー電話で発信を行うかを判断するための情報が格納される。例えば、ＩＰ電話発信のみを行うことを示す情報、セルラー電話発信のみを行うことを示す情報、無線ＬＡＮの回線品質が良い場合（例：所定の受信レベル以上の場合）にＩＰ電話発信を行うことを示す情報（良くない場合はセルラー電話発信）、通話相手が「プライベート」の場合にＩＰ電話発信を行い、それ以外（例：ビジネス）の場合にセルラー電話発信を行うことを示す情報等が格納される。
【００２７】
また、「発信選択状況」のフィールドが未設定である場合、例えばデフォルト値として、無線ＬＡＮエリアに在圏していればＩＰ電話発信を行い、無線ＬＡＮエリアに在圏していなければセルラー電話発信を行うことを意味することとしてもよい。
【００２８】
「着信設定状況」のフィールドには、着信の際に、ＩＰ電話で着信させるか、セルラー電話で着信させるかを判断するための情報が格納される。例えば、セルラー電話のみで着信させることを示す情報、「プライベート」の場合にＩＰ電話着信を行い、それ以外（例：ビジネス）の場合にセルラー電話着信を行うことを示す情報等が格納される。
【００２９】
また、「着信設定状況」のフィールドが未設定である場合、例えばデフォルト値として、無線ＬＡＮエリアに在圏していればＩＰ電話着信を行い、無線ＬＡＮエリアに在圏していなければセルラー電話着信を行うことを意味することとしてもよい。
【００３０】
なお、通話相手が、本実施の形態に係るサービスに加入しておらず、ユーザ情報格納部１０４への登録がなされない場合については、一律にセルラー電話への着信を行うこととしてもよい。
【００３１】
図４に、ユーザ電話帳情報格納部１０５に格納されるテーブル（ユーザ電話帳情報テーブルと呼ぶ）の構成例を示す。なお、図４に示すユーザ電話帳情報テーブルは、ある１ユーザ（例：ユーザ端末２００のユーザ）の電話帳を示す。図４に示すように、当該ユーザ電話帳情報テーブルは、ユーザ電話番号、名前、分類、発信選択、その他のフィールドを含む。
【００３２】
「ユーザ電話番号」のフィールドには、通話相手ユーザの電話番号が格納され、「名前」には該当ユーザの名前が格納される。「分類」のフィールドには、該当ユーザとの通話が「プライベート」であるか「ビジネス」であるかを示す情報が格納される。
【００３３】
「発信選択」のフィールドには、該当ユーザとの通話において、自ユーザ端末がＩＰ電話で発信を行うか、セルラー電話で発信を行うかを判断するための情報が格納される。例えば、ＩＰ電話発信のみを行うことを示す情報、セルラー電話発信のみを行うことを示す情報、無線ＬＡＮの回線品質が良い場合（例：所定の受信レベル以上の場合）にＩＰ電話発信を行うことを示す情報（良くない場合はセルラー電話発信）等が格納される。
【００３４】
また、「発信選択」のフィールドが未設定である場合、例えばデフォルト値として、自身が無線ＬＡＮエリアに在圏していればＩＰ電話発信を行い、無線ＬＡＮエリアに在圏していなければセルラー電話発信を行うことを意味することとしてもよい。「その他」のフィールドには、例えば通常の電話帳設定項目の情報が格納される。
【００３５】
本実施の形態に係る接続制御装置１００は、例えば、コンピュータ（サーバ）に、本実施の形態で説明する処理内容を記述したプログラムを実行させることにより実現可能である。すなわち、接続制御装置１００が有する機能は、当該コンピュータに内蔵されるＣＰＵやメモリなどのハードウェア資源を用いて、接続制御装置１００で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３６】
また、接続制御装置１００におけるユーザ情報格納部１０４とユーザ電話帳情報格納部１０５を外部のデータベース装置に備え、上記プログラムを、情報登録部１０１、発信選択部１０２、呼接続処理部１０３の機能に対応するプログラムとしてもよい。
【００３７】
＜ユーザ端末２００＞
図５に、ユーザ端末２００の機能構成図を示す。図５に示すように、ユーザ端末２００は、セルラー電話機能部２０１、ＩＰ電話機能部２０２、ユーザ情報登録部２０３、在圏情報通知部２０４、品質情報通知部２０５、発信選択要求部２０６を含む。
【００３８】
セルラー電話機能部２０１は、セルラー電話通信を行う機能部である。ＩＰ電話機能部２０２は、ＩＰ電話通信を行う機能部である。ユーザ情報登録部２０３は、例えば、ユーザインターフェース画面を表示し、ユーザ情報格納部１０４に格納される情報（在圏情報と品質情報を除く）及びユーザ電話帳情報格納部１０５に格納される情報の入力を受け付け、入力された情報を接続制御装置１００に送信する。
【００３９】
在圏情報通知部２０４は、例えば、無線ＬＡＮのエリアに在圏したときに、当該エリアの番号やＩＰアドレス等を在圏情報として接続制御装置１００に通知する。在圏情報通知部２０４は、無線ＬＡＮエリアに在圏中、在圏情報を定期的に接続制御装置１００に送信することとしてよい。これにより、接続制御装置１００は、所定時間、在圏情報を受信しない場合に、無線ＬＡＮエリアから離れたと判断し、在圏情報を削除することができる。
【００４０】
品質情報通知通知部２０５は、在圏している無線ＬＡＮ及び／又はセルラーの受信品質を測定し、品質情報（受信レベル等）を接続制御装置１００に通知する。この通知は、例えば、定期的に行うことができる。
【００４１】
発信選択要求部２０６は、例えば、宛先（着信先）の電話番号を入力（選択）して発信を指示できるユーザインターフェース画面を表示し、入力された宛先電話番号と、自身の電話番号（発信元電話番号）とを含む発信選択要求を接続制御装置１００に送信する。
【００４２】
一例として、ユーザ端末２００は、携帯電話機能と無線ＬＡＮ機能を有し、各種のアプリケーションを動作させることが可能なスマートフォンである。例えば、図５に示すＩＰ電話機能部２０２、ユーザ情報登録部２０３、在圏情報通知部２０４、品質情報通知部２０５、及び発信選択要求部２０６の機能をアプリケーション（プログラム）で実現し、当該アプリケーションをスマートフォンで実行させることによりユーザ端末２００を実現可能である。すなわち、ユーザ端末２００が有する機能は、当該スマートフォンに含まれるコンピュータに内蔵されるＣＰＵやメモリなどのハードウェア資源を用いて、ユーザ端末２００で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００４３】
（処理シーケンス例）
次に、本実施の形態におけるシステムの各処理の動作例を図６〜図９の説明する。以下の説明においては、図２、図５に示す構成内の機能部の動作についても適宜説明する。
【００４４】
＜情報登録処理＞
まず、各種の情報をユーザ端末２００から接続制御装置１００に登録する際の動作を図６を参照して説明する。なお、接続制御装置１００への情報の送信方法は、無線ＬＡＮであってもよいし、セルラーであってもよい。
【００４５】
ステップ１０１では、例えば、ユーザ端末２００のユーザ情報登録部２０３により表示されるユーザインターフェース画面から入力されたユーザ設定情報が接続制御装置１００に通知される。当該ユーザ設定情報は、ユーザ情報テーブルに格納される情報（在圏情報、品質情報以外）、ユーザ電話帳情報テーブルに格納される情報等である。接続制御装置１００では、情報登録部１０１が、ユーザ端末２００から受信した情報を該当のテーブルに格納する。
【００４６】
ステップ１０２では、例えば、ユーザ端末２００が無線ＬＡＮのエリアに在圏したとき（＝接続可能な無線ＬＡＮを検知したとき）に、在圏情報通知部２０４が、当該無線ＬＡＮのエリアを示す情報（エリア番号等）を在圏情報として接続制御装置１００に通知する。在圏情報を受信した接続制御装置１００において、情報登録部１０１は、ユーザ端末２００の電話番号と対応付けて在圏情報をユーザ情報格納部１０４に格納する。その後、ユーザ端末２００は、例えば、無線ＬＡＮのエリアに在圏中、在圏情報を定期的に接続制御装置１００に通知する。
【００４７】
ステップ１０３では、ユーザ端末２００の品質情報通知部２０５が、例えば無線ＡＰあるいはセルラーの基地局から発信される無線信号の受信レベルを測定し、当該受信レベルの値を品質情報として接続制御装置１００に通知する。品質情報を受信した接続制御装置１００において、情報登録部１０１は、ユーザ端末２００の電話番号と対応付けて品質情報をユーザ情報格納部１０４に格納する。ユーザ端末２００は、例えば、無線ＬＡＮのエリアに在圏中、無線ＬＡＮの品質情報を定期的に接続制御装置１００に通知する。また、セルラーの品質情報については、セルラーに在圏している場合に定期的に通知することとしてもよいし、全く通知しないこととしてもよい。
【００４８】
＜発信選択処理＞
次に、発信選択処理について図７を参照して説明する。例えば、ユーザ端末２００の表示部（タッチパネル等）には、発信選択要求部２０６により、宛先（着信先）の電話番号を入力（選択）して発信を指示できる画面が表示されている。ユーザが当該画面上で宛先（ユーザ端末２１０）の電話番号（電話番号Ａとする）を入力し、発信を指示すると、発信選択要求部２０６は、発信元電話番号（ユーザ端末２００の電話番号）と宛先電話番号（電話番号Ａ）とを含む発信選択要求を接続制御装置１００に送信する（ステップ２０１）。
【００４９】
接続制御装置１００の発信選択部１０２は、発信選択要求に含まれる発信元電話番号と宛先電話番号とに基づき、当該発信元電話番号に対応する登録情報と、宛先電話番号に対応する登録情報とをユーザ情報格納部１０４／ユーザ電話帳情報格納部１０５から取得し（ステップ２０２）、これらの登録情報に基づいて発信方式を選択し（ステップ２０３）、発信選択結果をユーザ端末２００に返す（ステップ２０４）。
【００５０】
例えば、発信元電話番号に対応する「発信選択設定」が「一括」であり、「発信選択状況」の設定が「ＩＰのみ」であるとする。この場合、例えば、発信選択部１０２は、発信方式を「ＩＰ電話発信」であると判断し、「ＩＰ電話発信」を発信選択結果としてユーザ端末２００に返す。
【００５１】
また、例えば、発信元電話番号に対応する「発信選択設定」が「一括」であり、「発信選択状況」の設定が「通話相手がプライベートであればＩＰ電話発信、通話相手がビジネスであればセルラー電話発信」であることを示す情報であるとする。この場合、発信選択部１０２は、発信元電話番号に対応するユーザ電話帳情報を参照し、宛先電話番号に対応する「分類」を見て、「分類」がプライベートであれば「ＩＰ電話発信」を選択し、「分類」がビジネスであれば「セルラー電話発信」を選択し、選択結果をユーザ端末２００に返す。
【００５２】
また、例えば、発信元電話番号に対応する「発信選択設定」が「一括」であり、「発信選択状況」の設定が「無線ＬＡＮの回線品質が所定のレベル以上である場合にＩＰ電話発信」であるとする。この場合、発信選択部１０２は、発信元電話番号に対応する「在圏状況」が無線ＬＡＮエリアに在圏していることを示しており、なおかつ、「回線状況」における回線品質が所定のレベル以上である場合に、発信方式を「ＩＰ電話発信」であると判断し、「ＩＰ電話発信」を発信選択結果としてユーザ端末２００に返す。それ以外の場合は、発信方式を「セルラー電話発信」であると判断し、「セルラー電話発信」を発信選択結果としてユーザ端末２００に返す。
【００５３】
また、例えば、発信元電話番号に対応する「発信選択設定」が「個々」（個別設定）である場合、発信選択部１０２は、発信元電話番号に対応するユーザ電話帳情報を参照し、宛先電話番号に対応する「発信選択」に基づいて発信方式を選択する。例えば、「発信選択」の設定が「無線ＬＡＮの回線品質が所定のレベル以上である場合にＩＰ電話発信」であるとする。この場合、発信選択部１０２は、発信元電話番号に対応する「在圏状況」が無線ＬＡＮエリアに在圏していることを示しており、なおかつ、回線品質が所定のレベル以上である場合に、発信方式を「ＩＰ電話発信」であると判断し、「ＩＰ電話発信」を発信選択結果としてユーザ端末２００に返す。それ以外の場合は、発信方式を「セルラー電話発信」であると判断し、「セルラー電話発信」を発信選択結果としてユーザ端末２００に返す。
【００５４】
なお、ユーザ端末２００から接続制御装置１００に送信される発信選択要求の内容は、接続制御装置１００に対して発信選択処理を指示する命令であり、ＩＮＶＩＴＥ等の呼接続用の信号ではないことから、本実施の形態では、発信選択結果を接続制御装置１００からユーザ端末２００に戻して、そこからユーザ端末２００に電話発信（呼接続信号の送信）を行わせることとしている。
【００５５】
＜接続要求処理＞
次に、ユーザ端末２００からの発信呼（接続要求）が、通話相手に着信するまでのシーケンス例について、図８、図９を参照して説明する。
【００５６】
――――ＩＰ電話発信――――
図８は、発信選択処理による発信選択結果が「ＩＰ電話発信」である場合のシーケンス例である。
【００５７】
発信選択結果（＝ＩＰ電話発信）を受信したユーザ端末２００において、ＩＰ電話機能部２０２が、発信元電話番号と宛先電話番号（本例では電話番号Ａ）を含む接続要求（上記のＩＮＶＩＴＥ等の信号）を送出することでＩＰ電話発信を行う（ステップ３０１）。
【００５８】
接続制御装置１００の呼接続処理部１０３が接続要求を受信する。本例では、一例として、ユーザ情報テーブルにおける宛先電話番号（電話番号Ａ）に対応する「着信設定状況」の設定が、無線ＬＡＮに在圏していればＩＰ電話着信であり、無線ＬＡＮに在圏していなければセルラー電話着信を行うことを示す情報であるとする。なお、宛先電話番号（電話番号Ａ）に対応する「着信設定状況」が未設定であり、未設定であることが上記内容を示すこととしてもよい。
【００５９】
呼接続処理部１０３は、宛先電話番号（電話番号Ａ）のユーザ端末２１０の「在圏状況」を確認し、無線ＬＡＮのエリアに在圏しているか否かを判定する（ステップ３０２）。
【００６０】
ユーザ端末２１０が無線ＬＡＮのエリアに在圏している場合、接続制御装置１００の呼接続処理部１０３は、ＩＰ電話の接続要求を送出し、当該接続要求はＩＰ電話網１３０を経由してユーザ端末２１０に届く（ステップ３０３）。その後、ＩＰ電話網１３０を介してＩＰ電話の所定の手順が実行されることでユーザ端末２００とユーザ端末２１０とが接続され、通話が開始される。
【００６１】
ユーザ端末２１０が無線ＬＡＮのエリアに在圏していない場合、接続制御装置１００の呼接続処理部１０３は、セルラー電話の接続要求を送出し、当該接続要求は携帯キャリア網４００に転送され、ユーザ端末２１０に届く（ステップ３０４、３０５）。その後、ＩＰ電話網１３０及び携帯キャリア網４００を介してＩＰ電話及びセルラー電話の所定の手順が実行されることでユーザ端末２００とユーザ端末２１０とが接続され、通話が開始される。
【００６２】
なお、仮に宛先電話番号のユーザが、本実施の形態に係るサービスの加入者でなく、ユーザ情報テーブルに登録がない場合、一律にセルラー電話着信としてもよい。
【００６３】
――――セルラー電話発信――――
図９は、発信選択処理による発信選択結果が「セルラー電話発信」である場合のシーケンス例である。
【００６４】
発信選択結果（＝セルラー電話発信）を受信したユーザ端末２００において、セルラー電話機能部２０１が、接続要求を送出することでセルラー電話発信を行う（ステップ４０１）。この接続要求には、宛先電話番号として、宛先の電話番号Ａに所定の番号を付した番号（例：０ＡＡＢＢＢ＋０９０ＸＸＸＸＸＸＸＸ）が含まれる。本実施の形態において、当該所定の番号は、接続制御装置１００を提供するサービス事業者を識別する番号であり、これを事業者識別番号と呼ぶ。
【００６５】
携帯キャリア網４００は、当該事業者識別番号に基づき、接続要求を接続制御装置１００に転送することを決定し、宛先電話番号として電話番号Ａを含む接続要求を接続制御装置１００に転送する（ステップ４０２）。
【００６６】
本例でも、ユーザ情報テーブルにおける宛先電話番号（電話番号Ａ）に対応する「着信設定状況」の設定が、無線ＬＡＮに在圏していればＩＰ電話着信であり、無線ＬＡＮに在圏していなければセルラー電話着信を行うことを示す情報であるとする。
【００６７】
呼接続処理部１０３は、宛先電話番号（電話番号Ａ）のユーザ端末２１０の「在圏状況」を確認し、無線ＬＡＮのエリアに在圏しているか否かを判定する（ステップ４０３）。
【００６８】
ユーザ端末２１０が無線ＬＡＮのエリアに在圏している場合、接続制御装置１００の呼接続処理部１０３は、ＩＰ電話の接続要求を送出し、当該接続要求はＩＰ電話網１３０を経由してユーザ端末２１０に届く（ステップ４０４）。その後、ＩＰ電話網１３０を介してＩＰ電話の所定の手順が実行されることでユーザ端末２００とユーザ端末２１０とが接続され、通話が開始される。
【００６９】
ユーザ端末２１０が無線ＬＡＮのエリアに在圏していない場合、接続制御装置１００の呼接続処理部１０３は、セルラー電話の接続要求を送出し、当該接続要求は携帯キャリア網４００に転送され、ユーザ端末２１０に届く（ステップ４０５、４０６）。その後、ＩＰ電話網１３０及び携帯キャリア網４００を介してＩＰ電話及びセルラー電話の所定の手順が実行されることでユーザ端末２００とユーザ端末２１０とが接続され、通話が開始される。
【００７０】
以上、説明したように、本実施の形態により、ＩＰ電話網とキャリア電話網とが接続された通信網に備えられる接続制御装置であって、ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択手段と、前記発信選択手段により選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理手段とを備える接続制御装置が提供される。
【００７１】
前記発信選択手段は、例えば、電話番号毎にユーザ情報を格納するユーザ情報格納部を参照し、前記発信元電話番号に対応する登録情報に基づいて、前記ユーザ端末の発信方式を選択する。
【００７２】
前記発信選択手段は、電話番号毎にユーザの電話帳情報を格納するユーザ電話帳情報格納部を参照し、前記発信元電話番号に対応するユーザ電話帳情報における前記宛先電話番号に対応する登録情報に基づいて、前記ユーザ端末の発信方式を選択することとしてもよい。
【００７３】
例えば、前記宛先ユーザ端末が無線ＬＡＮのエリアに在圏している場合に、前記呼接続処理手段は、前記接続要求を、前記ＩＰ電話網を経由して前記宛先ユーザ端末に着信させる。
【００７４】
本実施の形態で説明した技術により、ユーザ端末は、通信キャリアから割り当てられた１つの電話番号で、キャリア電話通信とＩＰ電話通信の両方の通信を行うことが可能となる。
【００７５】
（第１項）
ＩＰ電話網とキャリア電話網とが接続された通信網に備えられる接続制御装置であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択手段と、
前記発信選択手段により選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理手段と
を備えることを特徴とする接続制御装置。
（第２項）
前記発信選択手段は、電話番号毎にユーザ情報を格納するユーザ情報格納部を参照し、前記発信元電話番号に対応する登録情報に基づいて、前記ユーザ端末の発信方式を選択する
ことを特徴とする第１項に記載の接続制御装置。
（第３項）
前記発信選択手段は、電話番号毎にユーザの電話帳情報を格納するユーザ電話帳情報格納部を参照し、前記発信元電話番号に対応するユーザ電話帳情報における前記宛先電話番号に対応する登録情報に基づいて、前記ユーザ端末の発信方式を選択する
ことを特徴とする第１項又は第２項に記載の接続制御装置。
（第４項）
前記宛先ユーザ端末が無線ＬＡＮのエリアに在圏している場合に、前記呼接続処理手段は、前記接続要求を、前記ＩＰ電話網を経由して前記宛先ユーザ端末に着信させる
ことを特徴とする第１項ないし第３項のうちいずれか１項に記載の接続制御装置。
（第５項）
ＩＰ電話網とキャリア電話網とが接続された通信網に備えられる接続制御装置が実行する接続制御方法であって、
ユーザ端末から発信元電話番号と宛先電話番号とを含む発信選択要求を受信し、当該発信元電話番号及び当該宛先電話番号とに基づいて前記ユーザ端末の発信方式を選択し、選択した発信方式を当該ユーザ端末に通知する発信選択ステップと、
前記発信選択ステップにより選択された発信方式により前記ユーザ端末から送信された接続要求を受信し、前記宛先電話番号を有する宛先ユーザ端末の在圏状況に基づいて、前記接続要求を、前記ＩＰ電話網を経由して前記宛先ユーザ端末に着信させるか、前記キャリア電話網を経由して前記宛先ユーザ端末に着信させるかを決定する呼接続処理ステップと
を備えることを特徴とする接続制御方法。
（第６項）
コンピュータを、第１項ないし第４項のうちいずれか１項に記載の接続制御装置における各手段として機能させるためのプログラム。
本発明は、上記の実施の形態に限定されることなく、特許請求の範囲内において、種々変更・応用が可能である。
【符号の説明】
【００７６】
１１０、１２０  無線ＡＰ
１３０  ＩＰ網（ＩＰ電話網）
１００  接続制御装置
２００、２１０  ユーザ端末
４００  携帯キャリア網
４１０、４２０  基地局
１０１  情報登録部
１０２  発信選択部
１０３  呼接続処理部
１０４  ユーザ情報格納部
１０５  ユーザ電話帳情報格納部
２０１  セルラー電話機能部
２０２  ＩＰ電話機能部
２０３  ユーザ情報登録部
２０４  在圏情報通知部
２０５  品質情報通知部
２０６  発信選択要求部
【図１】
0006545467.tif 000002
【図２】
0006545467.tif 000003
【図３】
0006545467.tif 000004
【図４】
0006545467.tif 000005
【図５】
0006545467.tif 000006
【図６】
0006545467.tif 000007
【図７】
0006545467.tif 000008
【図８】
0006545467.tif 000009
【図９】
0006545467.tif 000010